(57)【要約】【課題】  給電装置と電子機器との通信に応じて、電子機器への無線給電が適切に行われるようにすることを目的とする。【解決手段】  給電装置は、無線給電を行う給電手段と、前記給電装置の給電能力に関するデータを格納するメモリと、電子機器から前記電子機器の受電能力に関するデータを受信する通信手段と、前記電子機器の受電能力に関するデータと前記給電能力に関するデータと用いて、前記電子機器に供給する電力を設定する制御手段とを有する。【選択図】  図２
2014220944.tif 000002
【特許請求の範囲】
【請求項１】
給電装置であって、
無線給電を行う給電手段と、
前記給電装置の給電能力に関するデータを格納するメモリと、
電子機器から前記電子機器の受電能力に関するデータを受信する通信手段と、
前記電子機器の受電能力に関するデータと前記給電能力に関するデータと用いて、前記電子機器に供給する電力を設定する制御手段と
を有することを特徴とする給電装置。
【請求項２】
前記制御手段は、前記電子機器の受電能力に関するデータと前記給電能力に関するデータとを用いて設定された電力を前記電子機器に供給するように前記給電手段を制御することを特徴とする請求項１に記載の給電装置。
【請求項３】
前記制御手段は、前記電子機器の受電能力に関するデータと、前記給電能力に関するデータとの比較の結果に基づいて、前記電子機器に供給する電力を設定することを特徴とする請求項１または２に記載の給電装置。
【請求項４】
前記制御手段は、前記給電装置が前記電子機器に供給することができる電力のレベルと前記電子機器が前記給電装置にから受け取ることができる電力のレベルとが対応している場合、前記給電装置の給電能力に関するデータに基づいて、前記電子機器に供給する電力を設定することを特徴とする請求項１から３のいずれか１項に記載の給電装置。
【請求項５】
前記制御手段は、前記給電装置が前記電子機器に供給することができる電力のレベルが、前記電子機器が前記給電装置にから受け取ることができる電力のレベルよりも高い場合、前記電子機器の受電能力に関するデータに基づいて、前記電子機器に供給する電力を設定することを特徴とする請求項１から４のいずれか１に記載の給電装置。
【請求項６】
前記制御手段は、前記給電装置が前記電子機器に供給することができる電力のレベルが、前記電子機器が前記給電装置にから受け取ることができる電力のレベルよりも高くない場合、前記給電装置の給電能力に関するデータに基づいて、前記電子機器に供給する電力を設定することを特徴とする請求項１から５のいずれか１に記載の給電装置。
【請求項７】
前記制御手段は、前記電子機器の受電能力に関するデータと前記給電能力に関するデータとを用いて設定された電力を前記電子機器に供給する時間を設定することを特徴とする請求項１から６のいずれか１項に記載の給電装置。
【請求項８】
前記制御手段は、前記電子機器の受電能力に関するデータと前記給電能力に関するデータとを用いて設定された電力に関するデータを前記電子機器に送信するように前記通信手段を制御することを特徴とする請求項１から７のいずれか１項に記載の給電装置。
【請求項９】
前記通信手段は、ＮＦＣ（Ｎｅａｒ  Ｆｉｅｌｄ  Ｃｏｍｍｕｎｉｃａｔｉｏｎ）に基づいて、前記電子機器と通信を行うことを特徴とする請求項１から８のいずれか１項に記載の給電装置。
【請求項１０】
電子機器であって、
前記電子機器の受電能力に関するデータを格納するメモリと、
無線給電を行う給電手段と、前記電子機器から前記電子機器の受電能力に関するデータを受信する通信手段と、前記電子機器の受電能力に関するデータと前記給電能力に関するデータと用いて、前記電子機器に供給する電力を設定する制御手段とを有する給電装置に前記電子機器の受電能力に関するデータを送信する通信手段と
を有することを特徴とする電子機器。
【請求項１１】
電子機器から前記電子機器の受電能力に関するデータを受信するステップと、
前記電子機器の受電能力に関するデータと給電装置の給電能力に関するデータと用いて、前記電子機器に供給する電力を設定するステップと、
無線給電を行うステップと
を含むことを特徴とする方法。
【請求項１２】
電子機器から前記電子機器の受電能力に関するデータを受信するステップと、
前記電子機器の受電能力に関するデータと給電装置の給電能力に関するデータと用いて、前記電子機器に供給する電力を設定するステップと、
無線給電を行うステップと
をコンピュータに実行させるためのプログラム。
【発明の詳細な説明】
【技術分野】
【０００１】
本発明は、無線給電を行う給電装置等に関する。
【背景技術】
【０００２】
近年、コネクタで接続することなく無線により電力を供給する給電装置と、給電装置から無線により供給される電力を受け取る電子機器とを含む給電システムが知られている。このような給電システムにおいて、給電装置から供給される電力を用いて、電池の充電を行う電子機器が知られている（特許文献１）。
【先行技術文献】
【特許文献】
【０００３】
【特許文献１】特開２０１０−３９２８３号公報
【発明の概要】
【発明が解決しようとする課題】
【０００４】
このような給電システムにおいて、給電装置と電子機器との間で通信を行い、給電装置が電子機器との通信結果を用いて、無線給電を制御することについて考えられていなかった。そのため、給電装置は、電子機器の機能や状態を正確に検出することができないので、電子機器への給電を適切に制御することができなかった。
【０００５】
そこで、本発明は、給電装置と電子機器との通信に応じて、電子機器への無線給電が適切に行われるようにすることを目的とする。
【課題を解決するための手段】
【０００６】
本発明に係る給電装置は、給電装置であって、無線給電を行う給電手段と、前記給電装置の給電能力に関するデータを格納するメモリと、電子機器から前記電子機器の受電能力に関するデータを受信する通信手段と、前記電子機器の受電能力に関するデータと前記給電能力に関するデータと用いて、前記電子機器に供給する電力を設定する制御手段とを有することを特徴とする。
【発明の効果】
【０００７】
本発明によれば、給電装置と電子機器との通信に応じて、電子機器への無線給電が適切に行われるようにすることができる。
【図面の簡単な説明】
【０００８】
【図１】本発明の実施例１に係る無線給電システムの一例を示す図である。
【図２】本発明の実施例１に係る給電装置の一例を示すブロック図である。
【図３】本発明の実施例１に係る電子機器の一例を示すブロック図である。
【図４】本発明の実施例１に係るＷＰＴ＿ＲＴＤデータの一例を示す図である。
【図５】本発明の実施例１に係る給電装置によって行われる制御処理の一例を示すフローチャート図である。
【図６】本発明の実施例１に係る給電装置によって行われる認証処理の一例を示すフローチャート図である。
【図７】本発明の実施例１に係る給電装置によって行われるステータスデータ交換処理の一例を示すフローチャート図である。
【図８】本発明の実施例１に係る給電装置によって行われる給電処理の一例を示すフローチャート図である。
【図９】本発明の実施例１に係る給電装置によって行われる設定処理の一例を示すフローチャート図である。
【図１０】本発明の実施例２に係るＷＰＴ＿ＲＴＤデータの一例を示す図である。
【図１１】本発明の実施例２に係る給電装置によって行われる設定処理の一例を示すフローチャート図である。
【発明を実施するための形態】
【０００９】
［実施例１］
以下、本発明の実施例１について、図面を参照して説明する。
【００１０】
図１に示すように、実施例１に係る給電システムは、給電装置１００と電子機器２００とを有する。実施例１における給電システムにおいて、給電装置１００における所定の範囲３００内に電子機器２００が存在する場合、給電装置１００は、電子機器２００に無線により給電を行う。また、電子機器２００が所定の範囲３００内に存在する場合、電子機器２００は、給電装置１００から出力される電力を無線により受け取ることができる。また、電子機器２００が所定の範囲３００内に存在しない場合、電子機器２００は、給電装置１００から電力を受け取ることができない。なお、所定の範囲３００とは、給電装置１００が電子機器２００と通信を行うことができる範囲を含むものとする。所定の範囲３００を給電装置１００の筺体上の範囲としたが、これに限られないものとする。なお、給電装置１００は、複数の電子機器に対して無線により給電を行うものであってもよいものとする。
【００１１】
電子機器２００は、撮像装置や再生装置であってもよく、携帯電話やスマートフォンのような通信装置であってもよいものとする。また、電子機器２００は、電池を含む電池パックであってもよい。また、電子機器２００は、自動車やディスプレイであってもよく、パーソナルコンピュータであってもよい。
【００１２】
次に、図２を参照して、実施例１に係る給電装置１００の構成の一例について説明を行う。給電装置１００は、図２に示すように、制御部１０１、給電部１０２、メモリ１０８、表示部１０９、操作部１１０、電流検出部１１１、温度検出部１１２及び第２の通信部１１３を有する。給電部１０２には、電力生成部１０３、検出部１０４、整合回路１０５、第１の通信部１０６及び給電アンテナ１０７が含まれる。
【００１３】
制御部１０１は、メモリ１０８に記録されているコンピュータプログラムを実行することによって、給電装置１００を制御する。制御部１０１は、例えば、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）を含む。なお、制御部１０１は、ハードウェアにより構成されるものとする。また、制御部１０１は、タイマー１０１ａを有する。
【００１４】
給電部１０２は、所定の給電方法に基づいて、無線給電を行うために用いられる。所定の給電方法は、例えば、磁界共鳴方式を用いた給電方法である。磁界共鳴方式とは、給電装置１００と電子機器２００との間で共振が行われる状態において、給電装置１００から電子機器２００に電力を伝送するものである。給電装置１００と電子機器２００との間で共振が行われる状態とは、給電装置１００の給電アンテナ１０７の共振周波数と、電子機器２００の受電アンテナ２０３の共振周波数とが一致している状態である。
【００１５】
電力生成部１０３は、不図示のＡＣ電源と給電装置１００とが接続されている場合、不図示のＡＣ電源から供給される電力を用いて、給電アンテナ１０７を介して外部に出力するための電力を生成する。電力生成部１０３には、電力生成部１０３で生成される電力の値を調整するための素子を含む。この素子は、例えば、ＦＥＴである。制御部１０１は、電力生成部１０３に含まれるＦＥＴの電圧を制御することにより、電力生成部１０３で生成される電力の値を変更することができる。
【００１６】
電力生成部１０３によって生成される電力は、検出部１０４及び整合回路１０５を介して給電アンテナ１０７に供給される。
【００１７】
検出部１０４は、給電装置１００と電子機器２００との共振の状態を検出するために、電圧定在波比ＶＳＷＲ（Ｖｏｌｔａｇｅ  Ｓｔａｎｄｉｎｇ  Ｗａｖｅ  Ｒａｔｉｏ）を検出する。さらに、検出部１０４は、検出したＶＳＷＲを示すデータを制御部１０１に供給する。ＶＳＷＲは、給電アンテナ１０７から出力される電力の進行波と、給電アンテナ１０７から出力される電力の反射波との関係を示す値である。制御部１０１は、検出部１０４から供給されたＶＳＷＲのデータを用いて、給電装置１００と電子機器２００との共振の状態の変化や異物の存在を検出することができる。異物とは、例えば、金属やＩＣカード等である。なお、異物は、電池の充電を制御するための充電手段を有していない機器や、給電装置１００と通信を行うための通信手段を有していない機器であってもよい。また、異物は、第１の通信部１０６の通信規格に対応していない機器であってもよい。
【００１８】
整合回路１０５は、給電アンテナ１０７の共振周波数を設定する回路と、電力生成部１０３と給電アンテナ１０７との間のインピーダンスマッチングを行うための回路とを含む。
【００１９】
給電装置１００が給電アンテナ１０７を介して通信電力及び所定の電力のいずれか一つを出力する場合、制御部１０１は、給電アンテナ１０７の共振周波数を所定の周波数ｆに設定するように整合回路１０５を制御する。所定の周波数ｆは、例えば、１３．５６ＭＨｚである。
【００２０】
第１の通信部１０６は、例えば、ＮＦＣ（Ｎｅａｒ  Ｆｉｅｌｄ  Ｃｏｍｍｕｎｉｃａｔｉｏｎ）フォーラムによって規定されているＮＦＣ規格に基づいて、無線通信を行う。また、第１の通信部１０６の通信規格は、ＩＳＯ／ＩＥＣ  １８０９２規格であってもよく、ＩＳＯ／ＩＥＣ  １４４４３規格であってもよく、ＩＳＯ／ＩＥＣ  ２１４８１規格であってもよい。第１の通信部１０６は、通信電力が給電アンテナ１０７から出力されている場合、給電アンテナ１０７を介して電子機器２００と無線給電を行うためのデータの送受信を行うことができる。しかし、所定の電力が給電アンテナ１０７から出力されている期間において、第１の通信部１０６は、給電アンテナ１０７を介して電子機器２００と通信を行わないものとする。所定の電力が給電アンテナ１０７から出力されている期間を以下「所定の時間」と呼ぶ。所定の時間は、例えば、電子機器２００から受信されたデータに基づいて、制御部１０１によって設定される。
【００２１】
第１の通信部１０６と電子機器２００との間で送受信されるデータは、例えば、ＮＤＥＦ（ＮＦＣ  Ｄａｔａ  Ｅｘｃｈａｎｇｅ  Ｆｏｒｍａｔ）に対応するデータである。ＮＤＥＦに対応するデータを以下「ＮＤＥＦデータ」と呼ぶ。
【００２２】
第１の通信部１０６は、電力生成部１０３から供給される通信電力に電子機器２００に送信するデータを重畳する処理を行うことによって、ＮＤＥＦデータを電子機器２００に送信することができる。データが重畳された通信電力は、給電アンテナ１０７を介して電子機器２００に送信される。
【００２３】
第１の通信部１０６は、給電アンテナ１０７に流れる電流を検出し、この電流の検出結果を用いて、電子機器２００からＮＤＥＦデータを受信することができる。これは、電子機器２００が給電装置１００にＮＤＥＦデータを送信する場合に、電子機器２００の内部の負荷を変動させることによって、ＮＤＥＦデータの送信を行うからである。電子機器２００の内部の負荷が変化した場合、給電アンテナ１０７に流れる電流は、変化する。このため、第１の通信部１０６は、給電アンテナ１０７に流れる電流を検出することによって、電子機器２００からＮＤＥＦデータを受信することができる。
【００２４】
なお、第１の通信部１０６は、ＮＦＣ規格に規定されているリーダライタとして動作するものとする。
【００２５】
給電アンテナ１０７は、通信電力及び所定の電力のいずれか一つを電子機器２００に出力するためのアンテナである。また、給電アンテナ１０７は、第１の通信部１０６がＮＦＣ規格を用いた無線通信を電子機器２００と行うために用いられる。
【００２６】
メモリ１０８は、給電装置１００を制御するためのコンピュータプログラムを記録する。さらに、メモリ１０８は、給電装置１００に関する給電パラメータや給電を制御するためのフラグ等を記録する。なお、メモリ１０８には、給電能力データ１０８ａが格納されている。給電能力データ１０８ａは、給電装置１００が対応している給電の電力レベル（Ｐｏｗｅｒ  Ｌｅｖｅｌ）を示すデータを含む。実施例１における給電能力データ１０８ａには、例えば、ローパワー（Ｌｏｗ  Ｐｏｗｅｒ）を示すデータ、ミドルパワー（Ｍｉｄｄｌｅ  Ｐｏｗｅｒ）を示すデータ及びハイパワー（Ｈｉｇｈ  Ｐｏｗｅｒ  Ｌｅｖｅｌ）を示すデータのいずれか一つが含まれる。給電能力データ１０８ａに含まれるローパワーを示すデータは、例えば、給電装置１００が給電アンテナ１０７を介して１Ｗ以下の電力を出力する能力を持っていることを示す。給電能力データ１０８ａに含まれるミドルパワーを示すデータは、例えば、給電装置１００が給電アンテナ１０７を介して５Ｗ以下の電力を出力する能力を持っていることを示す。給電能力データ１０８ａに含まれるハイパワーを示すデータは、例えば、給電装置１００が給電アンテナ１０７を介して１０Ｗ以下の電力を出力する能力を持っていることを示す。
【００２７】
また、メモリ１０８は、電子機器２００から第１の通信部１０６及び第２の通信部１１３の少なくとも一つが取得したデータを記録する。
【００２８】
表示部１０９は、メモリ１０８及び第２の通信部１１３から供給される映像データを表示する。
【００２９】
操作部１１０は、給電装置１００を操作するためのユーザインターフェースを提供する。操作部１１０は、給電装置１００を操作するためのボタン、スイッチやタッチパネル等を有する。制御部１０１は、操作部１１０を介して入力された入力信号に従って給電装置１００を制御する。
【００３０】
電流検出部１１１は、給電アンテナ１０７に流れる電流を検出し、検出した電流を示すデータを制御部１０１に供給する。制御部１０１は、電流検出部１１１から供給された電流のデータを用いて、異物が所定の範囲３００内に存在するか否かを検出することができる。
【００３１】
温度検出部１１２は、給電装置１００の温度を検出し、検出した温度を示すデータを制御部１０１に供給する。制御部１０１は、温度検出部１１２から供給された温度のデータを用いて、異物が所定の範囲３００内に存在するか否かを検出することができる。なお、温度検出部１１２によって検出される給電装置１００の温度は、給電装置１００内部の温度であってもよく、給電装置１００の表面の温度であってもよい。
【００３２】
第２の通信部１１３は、第１の通信部１０６の通信規格と異なる通信規格に基づいて、電子機器２００と無線通信を行う。第２の通信部１１３の通信規格は、例えば、無線ＬＡＮ（Ｗｉｒｅｌｅｓｓ  Ｌｏｃａｌ  Ａｒｅａ  Ｎｅｔｗｏｒｋ）規格やＢｌｕｅ  Ｔｏｏｔｈ（登録商標）規格である。第２の通信部１１３は、給電装置１００と電子機器２００との間で映像データ、音声データ及びコマンドの少なくとも一つを含むデータを送信したり受信することができる。
【００３３】
給電装置１００は、無線により電力を電子機器２００に供給するようにした。しかし、「無線」を「非接触」や「無接点」と言い換えてもよいものとする。
【００３４】
次に、図３を参照して、電子機器２００の構成の一例について説明を行う。電子機器２００は、制御部２０１、受電部２０２、電力検出部２０７、レギュレータ２０８、負荷部２０９、充電部２１０、電池２１１、温度検出部２１２、メモリ２１３、操作部２１４及び第２の通信部２１５を有する。受電部２０２には、受電アンテナ２０３、整合回路２０４、整流平滑回路２０５及び第１の通信部２０６が含まれる。
【００３５】
制御部２０１は、メモリ２１３に記録されているコンピュータプログラムを実行することによって、電子機器２００を制御する。制御部２０１は、例えば、ＣＰＵやＭＰＵを含む。なお、制御部２０１は、ハードウェアにより構成されるものとする。
【００３６】
受電部２０２は、所定の給電方法に対応し、給電装置１００から電力を無線により受け取るために用いられる。
【００３７】
受電アンテナ２０３は、給電装置１００から供給される電力を受け取るためのアンテナである。また、受電アンテナ２０３は、第１の通信部２０６がＮＦＣ規格を用いた無線通信を給電装置１００と行うために用いられる。受電アンテナ２０３を介して給電装置１００から電子機器２００が受け取った電力は、整合回路２０４を介して整流平滑回路２０５に供給される。
【００３８】
整合回路２０４は、受電アンテナ２０３の共振周波数を設定する回路を含む。制御部２０１は、整合回路２０４を制御することによって受電アンテナ２０３の共振周波数を設定することができる。
【００３９】
整流平滑回路２０５は、受電アンテナ２０３によって受電された電力から直流電力を生成する。さらに、整流平滑回路２０５は、生成した直流電力を電力検出部２０７を介してレギュレータ２０８に供給する。受電アンテナ２０３によって受電された電力にデータが重畳されている場合、受電アンテナ２０３によって受電された電力から取り除かれたデータを第１の通信部２０６に供給する。
【００４０】
第１の通信部２０６は、第１の通信部１０６と同一の通信規格に基づいて、給電装置１００と通信を行う。第１の通信部２０６は、「アクティブタグ」または「ダイナミックタグ」と呼ばれる所定のタグを持っている。
【００４１】
第１の通信部２０６は、メモリ２０６ａを有する。メモリ２０６ａには、ＷＰＴ（Ｗｉｒｅｌｅｓｓ  Ｐｏｗｅｒ  Ｔｒａｎｓｆｅｒ）＿ＲＴＤ（Ｒｅｃｏｒｄ  Ｔｙｐｅ  Ｄｅｆｉｎｉｔｏｎ）データ４００が記録されている。ＷＰＴ＿ＲＴＤデータ４００には、ＮＤＥＦに対応するデータが複数格納されている。ＷＰＴ＿ＲＴＤデータ４００には、給電装置１００と電子機器２００との間で無線給電を行うために必要なデータが格納される。
【００４２】
次に、図４を用いて、実施例１におけるＷＰＴ＿ＲＴＤデータ４００についての説明を行う。なお、電子機器２００が所定のタグを持っている場合、制御部２０１は、不図示の内部バスインターフェースを介して図４に示すＷＰＴ＿ＲＴＤデータ４００に格納されているデータを読み出すことができる。さらに、電子機器２００が所定のタグを持っている場合、制御部２０１は、不図示の内部バスインターフェースを介して図４に示すＷＰＴ＿ＲＴＤデータ４００にデータを書き込むことができる。
【００４３】
ＷＰＴ＿ＲＴＤデータ４００は、ヘッダー４０１、識別データ４０３、受電能力データ４０４、受電ステータスデータ４０５及び給電ステータスデータ４０６を含む。
【００４４】
ヘッダー４０１には、ＷＰＴ＿ＲＴＤデータ４００を識別するためのＲｅｃｏｒｄ  Ｔｙｐｅ  Ｎａｍｅ（レコードタイプ名）４０２があらかじめ格納されている。さらに、ヘッダー４０１には、電子機器２００が所定のタグを持っているか否かを示すデータが含まれている。
【００４５】
Ｒｅｃｏｒｄ  Ｔｙｐｅ  Ｎａｍｅ４０２は、ＷＰＴ＿ＲＴＤデータ４００に格納されているデータの内容や構造を識別するためのレコードタイプ（ｒｅｃｏｒｄ  ｔｙｐｅ）を示すデータである。なお、Ｒｅｃｏｒｄ  Ｔｙｐｅ  Ｎａｍｅ４０２は、電子機器２００が所定の給電方法を用いた無線給電に対応していることを示している。実施例１におけるＲｅｃｏｒｄ  Ｔｙｐｅ  Ｎａｍｅ  ４０２は、例えば、電子機器２００が所定の給電方法を用いた無線給電に対応していることを示す“Ｗ”、“Ｐ”、“Ｔ”という文字列データを含む。
【００４６】
さらに、ヘッダー４０１には、ＷＰＴ＿ＲＴＤデータ４００に含まれるＮＤＥＦデータの始まりを示すデータと、ＷＰＴ＿ＲＴＤデータ４００に含まれるＮＤＥＦデータの終わりを示すデータとが含まれる。
【００４７】
識別データ４０３には、電子機器２００の製品ＩＤ（Ｐｒｏｄｕｃｔ  ＩＤ）や製造者名等を示すデータがあらかじめ格納されている。
【００４８】
受電能力データ４０４には、電子機器２００が対応している受電の電力レベル（Ｐｏｗｅｒ  Ｌｅｖｅｌ）を示すデータがあらかじめ格納されている。実施例１における受電能力データ４０４には、例えば、ローパワー（Ｌｏｗ  Ｐｏｗｅｒ）を示すデータ、ミドルパワー（Ｍｉｄｄｌｅ  Ｐｏｗｅｒ）を示すデータ及びハイパワー（Ｈｉｇｈ  Ｐｏｗｅｒ）を示すデータのいずれか一つが含まれる。受電能力データ４０４に含まれるローパワーを示すデータは、例えば、電子機器２００が受電アンテナ２０３を介して１Ｗ以下の電力を受け取る能力を持っていることを示す。受電能力データ４０４に含まれるミドルパワーを示すデータは、例えば、電子機器２００が受電アンテナ２０３を介して５Ｗ以下の電力を受け取る能力を持っていることを示す。受電能力データ４０４に含まれるハイパワーを示すデータは、例えば、電子機器２００が受電アンテナ２０３を介して１０Ｗ以下の電力を受け取る能力を持っていることを示す。
【００４９】
受電ステータスデータ４０５には、電子機器２００の状態を示すデータが含まれる。例えば、受電ステータスデータ４０５には、給電装置１００に要求する要求電力の値、電子機器２００が給電装置１００から受け取った電力の値、電池２１１の残容量や電池２１１の充電に関するデータ、電子機器２００のエラーに関するエラーデータ等が含まれる。エラーデータには、電子機器２００にエラーが発生しているか否かを示すデータと、エラーの種類を示すデータとが含まれる。
【００５０】
電子機器２００が所定のタグを持っている場合、制御部２０１は、電子機器２００の各部から供給されるデータを用いて受電ステータスデータ４０５を定期的に検出し、検出した受電ステータスデータ４０５をＷＰＴ＿ＲＴＤデータ４００に書き込む。
【００５１】
給電ステータスデータ４０６には、給電装置１００の状態を示すデータが含まれる。例えば、給電ステータスデータ４０６には、給電装置１００の識別データ、給電装置１００が電子機器２００への所定の電力の伝送を開始するか否かを示すデータ、給電装置１００で設定された給電パラメータ等が含まれる。
【００５２】
電子機器２００が所定のタグを持っている場合、制御部２０１は、ＷＰＴ＿ＲＴＤデータ４００から読み出された給電ステータスデータ４０６を用いて、電子機器２００の各部を制御する。
【００５３】
電力検出部２０７は、受電アンテナ２０３を介して受け取った電力を検出し、検出した電力を示すデータを制御部２０１に供給する。
【００５４】
レギュレータ２０８は、制御部２０１からの指示に応じて、整流平滑回路２０５から供給される電力及び電池２１１から供給される電力の少なくとも一つを電子機器２００の各部に供給する。
【００５５】
負荷部２０９は、被写体の光学像から静止画や動画等の映像データの生成を行う撮像回路や映像データの再生を行う再生回路等を有する。
【００５６】
充電部２１０は、電池２１１を充電する。充電部２１０は、制御部２０１からの指示に応じて、レギュレータ２０８から供給される電力を用いて電池２１１を充電するか、電池２１１から放電される電力をレギュレータ２０８に供給するかを制御する。充電部２１０は、定期的に電池２１１の残容量を検出し、電池２１１の残容量を示すデータや電池２１１の充電に関するデータを制御部２０１に供給する。
【００５７】
電池２１１は、電子機器２００に接続可能な電池である。また、電池２１１は、充電可能な二次電池であり、例えば、リチウムイオン電池等である。なお、電池２１１は、リチウムイオン電池以外のものであっても良いものとする。
【００５８】
温度検出部２１２は、電子機器２００の温度を検出し、検出した温度を示すデータを制御部２０１に供給する。
【００５９】
メモリ２１３は、電子機器２００を制御するコンピュータプログラム及電子機器２００に関するパラメータ等のデータを記憶する。
【００６０】
操作部２１４は、電子機器２００を操作するためのユーザインターフェースを提供する。制御部２０１は、操作部２１４を介して入力された入力信号に従って電子機器２００を制御する。
【００６１】
第２の通信部２１５は、給電装置１００と無線通信を行う。なお、第２の通信部２１５は、例えば、第２の通信部１１３と同一の通信規格に基づいて、給電装置１００と無線通信を行う。
【００６２】
（制御処理）
次に、実施例１において、給電装置１００の無線給電を制御するための制御処理について、図５のフローチャートを用いて説明する。制御処理は、制御部１０１がメモリ１０８に格納されているコンピュータプログラムを実行することにより実現することができる。
【００６３】
Ｓ５０１において、制御部１０１は、給電装置１００の第１の通信部１０６の機能が有効であるか否かを検出する。給電装置１００の第１の通信部１０６の機能が有効であることが検出された場合（Ｓ５０１でＹｅｓ）、本フローチャートは、Ｓ５０２に進む。給電装置１００の第１の通信部１０６の機能が有効でないことが検出された場合（Ｓ５０１でＮｏ）、本フローチャートは終了する。
【００６４】
Ｓ５０２において、制御部１０１は、後述の認証処理を行う。認証処理が行われた場合、本フローチャートは、Ｓ５０３に進む。
【００６５】
Ｓ５０３において、制御部１０１は、給電装置１００と電子機器２００との無線給電の認証が成功したか否かを判定する。Ｓ５０２で認証処理が行われた場合、メモリ１０８に認証成功フラグ及び認証失敗フラグのいずれか一つが設定される。メモリ１０８に認証成功フラグが設定されている場合、制御部１０１は、無線給電の認証が成功したと判定し（Ｓ５０３でＹｅｓ）、本フローチャートはＳ５０４に進む。メモリ１０８に認証失敗フラグが設定されている場合、制御部１０１は、無線給電の認証が失敗したと判定し（Ｓ５０３でＮｏ）、本フローチャートはＳ５０７に進む。
【００６６】
Ｓ５０４において、制御部１０１は、後述のステータスデータ交換処理を行う。ステータスデータ交換処理が行われた場合、本フローチャートは、Ｓ５０５に進む。
【００６７】
Ｓ５０５において、制御部１０１は、給電装置１００が電子機器２００への給電を行うことができるか否かを判定する。Ｓ５０４でステータスデータ交換処理が行われた場合、メモリ１０８に給電可能フラグ及び給電不可フラグのいずれか一つが設定される。メモリ１０８に給電可能フラグが設定されている場合、制御部１０１は、給電装置１００が電子機器２００への給電を行うことができると判定し（Ｓ５０５でＹｅｓ）、本フローチャートはＳ５０６に進む。メモリ１０８に給電不可フラグが設定されている場合、制御部１０１は、給電装置１００が電子機器２００への給電を行うことができないと判定し（Ｓ５０５でＮｏ）、本フローチャートはＳ５０７に進む。
【００６８】
Ｓ５０６において、制御部１０１は、後述の給電処理を行う。給電処理が行われた場合、本フローチャートは、Ｓ５０４に戻る。
【００６９】
Ｓ５０７において、制御部１０１は、メモリ１０８に格納されている給電パラメータや給電の制御に関するフラグ等を消去する。この場合、本フローチャートは、Ｓ５０１に戻る。
【００７０】
（認証処理）
次に、実施例１において、図５のＳ５０２において、制御部１０１によって行われる認証処理について、図６のフローチャートを用いて説明する。認証処理は、制御部１０１がメモリ１０８に格納されているコンピュータプログラムを実行することにより実現することができる。
【００７１】
Ｓ６０１において、制御部１０１は、通信電力を出力するように給電部１０２を制御する。なお、制御部１０１は、所定の電力を出力する処理を開始するまで、通信電力が給電アンテナ１０７を介して出力されるようにする。この場合、本フローチャートは、Ｓ６０２に進む。
【００７２】
Ｓ６０２において、制御部１０１は、電子機器２００がＷＰＴ＿ＲＴＤデータ４００を持っているか否かを確認するためにＲｅｃｏｒｄ  Ｔｙｐｅ  Ｎａｍｅ４０２を要求するデータを送信するように第１の通信部１０６を制御する。この場合、本フローチャートは、Ｓ６０３に進む。
【００７３】
Ｓ６０３において、制御部１０１は、第１の通信部１０６が電子機器２００から取得したＲｅｃｏｒｄ  Ｔｙｐｅ  Ｎａｍｅ４０２を用いて、電子機器２００がＷＰＴ＿ＲＴＤデータ４００を持っているか否かを判定する。
電子機器２００がＷＰＴ＿ＲＴＤデータ４００を持っていると判定された後（Ｓ６０３でＹｅｓ）、本フローチャートは、Ｓ６０４に進む。電子機器２００がＷＰＴ＿ＲＴＤデータ４００を持っていないと判定された後（Ｓ６０３でＮｏ）、本フローチャートは、Ｓ６０２に戻る。なお、第１の通信部１０６が電子機器２００からＲｅｃｏｒｄ  Ｔｙｐｅ  Ｎａｍｅ４０２を取得していない場合も、本フローチャートはＳ６０２に戻る。
【００７４】
Ｓ６０４において、制御部１０１は、電子機器２００からヘッダー４０１に含まれるデータ、識別データ４０３及び受電能力データ４０４を要求するデータを送信するように第１の通信部１０６を制御する。さらに、制御部１０１は、電子機器２００から第１の通信部１０６が取得したデータを解析し、解析結果をメモリ１０８に格納する。この場合、本フローチャートは、Ｓ６０５に進む。
【００７５】
Ｓ６０５において、制御部１０１は、Ｓ６０４の解析結果を用いて、電子機器２００から取得したヘッダー４０１に含まれるデータ、識別データ及び受電能力データ４０４に通信エラーが発生しているか否かを検出する。電子機器２００から取得したヘッダー４０１に含まれるデータ、識別データ及び受電能力データ４０４に通信エラーが発生していると検出された場合（Ｓ６０５でＹｅｓ）、本フローチャートは、Ｓ６０６に進む。電子機器２００から取得したヘッダー４０１に含まれるデータ、識別データ及び受電能力データ４０４に通信エラーが発生していないと検出された場合（Ｓ６０５でＮｏ）、本フローチャートは、Ｓ６０８に進む。
【００７６】
Ｓ６０６において、制御部１０１は、給電装置１００と電子機器２００との間における通信エラーが検出されたことを示すデータを表示部１０９に表示させる。この場合、本フローチャートは、Ｓ６０７に進む。
【００７７】
Ｓ６０７において、制御部１０１は、メモリ１０８に認証失敗フラグを設定する。この場合、本フローチャートは終了し、図５のＳ５０３に進む。
【００７８】
所定の範囲３００内に異物が置かれた場合、給電装置１００は、異物を検出し、電子機器２００への給電を制限する必要がある。そこで、給電装置１００は、所定の範囲３００内に異物が存在しているか否かを判定するために、Ｓ６０８の処理を行う。
【００７９】
Ｓ６０８において、制御部１０１は、異物が所定の範囲３００内に存在するか否かを検出する。
【００８０】
所定の範囲３００内に異物が置かれた場合、検出部１０４で検出されるＶＳＷＲが急激に変化する場合がある。そこで、例えば、制御部１０１は、検出部１０４で検出されるＶＳＷＲが所定値以上変化したか否かを検出することによって、異物の検出を行う。所定値は、異物の存在を識別するための閾値である。検出部１０４で検出されるＶＳＷＲが所定値以上変化した場合、制御部１０１は、所定の範囲３００内に異物が存在すると判定する（Ｓ６０８でＹｅｓ）。検出部１０４で検出されるＶＳＷＲが所定値以上変化していない場合、制御部１０１は、所定の範囲３００内に異物が存在していないと判定する（Ｓ６０８でＮｏ）。
【００８１】
また、所定の範囲３００内に異物が置かれた場合、電流検出部１１１で検出される電流が急激に上昇する場合がある。そこで、例えば、制御部１０１は、電流検出部１１１で検出される電流が所定の電流値以上であるか否かを検出することによって、異物の検出を行う。なお、所定の電流値は、異物の存在を識別するための閾値である。
【００８２】
電流検出部１１１で検出される電流が所定の電流値以上である場合、制御部１０１は、所定の範囲３００内に異物が存在すると判定する（Ｓ６０８でＹｅｓ）。電流検出部１１１で検出される電流が所定の電流値以上でない場合、制御部１０１は、所定の範囲３００内に異物が存在していないと判定する（Ｓ６０８でＮｏ）。
【００８３】
また、所定の範囲３００内に異物が置かれた場合、温度検出部１１２で検出される温度が急激に上昇する場合がある。そこで、例えば、制御部１０１は、温度検出部１１２で検出される温度が所定の温度以上であるか否かを検出することによって、異物の検出を行う。なお、所定の温度は、異物の存在を識別するための閾値である。
【００８４】
温度検出部１１２で検出される温度が所定の温度以上である場合、制御部１０１は、所定の範囲３００内に異物が存在すると判定する（Ｓ６０８でＹｅｓ）。温度検出部１１２で検出される温度が所定の温度以上でない場合は、制御部１０１は、所定の範囲３００内に異物が存在していないと判定する（Ｓ６０８でＮｏ）。所定の範囲３００内に異物が存在すると判定された後（Ｓ６０８でＹｅｓ）、本フローチャートは、Ｓ６０９に進む。所定の範囲３００内に異物が存在していないと判定された後（Ｓ６０８でＮｏ）、本フローチャートは、Ｓ６１０に進む。
【００８５】
Ｓ６０９において、制御部１０１は、異物が検出されたことを通知するためのデータを表示部１０９に表示させる。この場合、本フローチャートは、Ｓ６０７に進む。
【００８６】
Ｓ６１０において、制御部１０１は、電子機器２００から取得されたＲｅｃｏｒｄ  Ｔｙｐｅ  Ｎａｍｅ４０２を用いて、電子機器２００が給電装置１００に対応しているか否かを判定する。
【００８７】
例えば、制御部１０１は、給電装置１００が対応している給電方法と電子機器２００が対応している給電方法とが一致している場合、電子機器２００が給電装置１００に対応していると判定する。また、制御部１０１は、給電装置１００が対応している給電方法と電子機器２００が対応している給電方法とが一致していない場合、電子機器２００が給電装置１００に対応していないと判定する。
【００８８】
電子機器２００が給電装置１００に対応していない場合（Ｓ６１０でＮｏ）、本フローチャートは、Ｓ６１１に進む。電子機器２００が給電装置１００に対応している場合（Ｓ６１０でＹｅｓ）、本フローチャートは、Ｓ６１２に進む。
【００８９】
Ｓ６１１において、制御部１０１は、給電装置１００と電子機器２００との間における認証エラーが検出されたことを示すデータを表示部１０９に表示させる。この場合、本フローチャートは、Ｓ６０７に進む。
【００９０】
Ｓ６１２において、制御部１０１は、Ｓ６０４において、第１の通信部１０６が電子機器２００から取得したヘッダー４０１に含まれるデータを用いて、電子機器２００が所定のタグを持っているか否かを判定する。電子機器２００が所定のタグを持っていると判定された後（Ｓ６１２でＹｅｓ）、本フローチャートは、Ｓ６１３に進む。電子機器２００が所定のタグを持っていないと判定された後（Ｓ６１２でＮｏ）、本フローチャートは、Ｓ６１１に進む。
【００９１】
Ｓ６１３において、制御部１０１は、メモリ１０８に認証成功フラグを設定する。この場合、本フローチャートは終了し、図５のＳ５０３に進む。
【００９２】
（ステータスデータ交換処理）
次に、実施例１において、図５のＳ５０４において、制御部１０１によって行われるステータスデータ交換処理について、図７のフローチャートを用いて説明する。ステータスデータ交換処理は、制御部１０１がメモリ１０８に格納されているコンピュータプログラムを実行することにより実現することができる。
【００９３】
Ｓ７０１において、制御部１０１は、受電ステータスデータ４０５を要求するデータを送信するように第１の通信部１０６を制御する。この場合、本フローチャートは、Ｓ７０２に進む。
【００９４】
Ｓ７０２において、制御部１０１は、電子機器２００に受電ステータスデータ４０５の要求が行われてから一定の時間が経過するまでの間に、第１の通信部１０６が電子機器２００から受電ステータスデータ４０５を受信したか否かを判定する。第１の通信部１０６が電子機器２００から受電ステータスデータ４０５を受信したと判定された場合（Ｓ７０２でＹｅｓ）、本フローチャートは、Ｓ７０５に進む。受電ステータスデータ４０５の要求が行われてから一定の時間が経過した場合であっても、第１の通信部１０６が電子機器２００から受電ステータスデータ４０５を受信していないと判定された場合（Ｓ７０２でＮｏ）、本フローチャートは、Ｓ７０３に進む。
【００９５】
Ｓ７０３において、制御部１０１は、Ｓ６０６と同様に、通信エラーが検出されたことを示すデータを表示部１０９に表示させる。この場合、本フローチャートは、Ｓ７０４に進む。
【００９６】
Ｓ７０４において、制御部１０１は、メモリ１０８に給電不可フラグを設定する。この場合、本フローチャートは終了し、図５のＳ５０５に進む。
【００９７】
Ｓ７０５において、制御部１０１は、第１の通信部１０６が受信した受電ステータスデータ４０５を用いて、電子機器２００の充電が完了したか否かを判定する。電子機器２００の充電が完了したと判定された場合（Ｓ７０５でＹｅｓ）、本フローチャートは、Ｓ７０６に進む。電子機器２００の充電が完了していないと判定された場合（Ｓ７０５でＮｏ）、本フローチャートは、Ｓ７０７に進む。
【００９８】
Ｓ７０６において、制御部１０１は、電子機器２００の充電が完了したことを示すデータを表示部１０９に表示させる。また、制御部１０１は、電池２１１が満充電であることを示すデータを表示部１０９に表示させてもよい。この場合、本フローチャートは、Ｓ７０４に進む。
【００９９】
Ｓ７０７において、制御部１０１は、第１の通信部１０６が受信した受電ステータスデータ４０５を用いて、電子機器２００にエラーが発生しているか否かを判定する。例えば、制御部１０１は、電子機器２００の受電ステータスデータ４０５からエラーデータを検出し、エラーデータを解析することで、電子機器２００にエラーが発生しているか否かを判定する。
【０１００】
電子機器２００にエラーが発生していると判定された場合（Ｓ７０７でＹｅｓ）、本フローチャートは、Ｓ７０８に進む。電子機器２００にエラーが発生していないと判定された場合（Ｓ７０７でＮｏ）、本フローチャートは、Ｓ７０９に進む。
【０１０１】
Ｓ７０８において、制御部１０１は、電子機器２００にエラーが発生したことを示すデータを表示部１０９に表示させる。さらに、制御部１０１は、電子機器２００に発生したエラーの種類を示すデータを表示部１０９に表示させてもよい。この場合、本フローチャートは、Ｓ７０４に進む。
【０１０２】
Ｓ７０９において、制御部１０１は、Ｓ６０８と同様に、異物が所定の範囲３００内に存在するか否かを検出する。所定の範囲３００内に異物が存在すると判定された後（Ｓ７０９でＹｅｓ）、本フローチャートは、Ｓ７１０に進む。所定の範囲３００内に異物が存在していないと判定された後（Ｓ７０９でＮｏ）、本フローチャートは、Ｓ７１２に進む。
【０１０３】
Ｓ７１０において、制御部１０１は、異物を検出したことを電子機器２００に通知するデータを送信するように第１の通信部１０６を制御する。この場合、本フローチャートは、Ｓ７１１に進む。
【０１０４】
Ｓ７１１において、制御部１０１は、異物が検出されたことを通知するためのデータを表示部１０９に表示させる。この場合、本フローチャートは、Ｓ７０４に進む。
【０１０５】
Ｓ７１２において、制御部１０１は、後述の設定処理を行う。設定処理とは、給電パラメータを設定するための処理である。給電パラメータとは、所定の電力を示す値及び所定の時間を示す値を含む。設定処理が行われた後、本フローチャートは、Ｓ７１３に進む。
【０１０６】
Ｓ７１３において、制御部１０１は、給電ステータスデータ４０６を電子機器２００に送信するように第１の通信部１０６を制御する。制御部１０１は、給電装置１００の識別データ、Ｓ７１２で設定された給電パラメータ及び電子機器２００への所定の電力の伝送を開始することを示すデータを含む給電ステータスデータ４０６を生成する。さらに、制御部１０１は、生成した給電ステータスデータ４０６を電子機器２００に送信するように第１の通信部１０６を制御する。この場合、本フローチャートは、Ｓ７１４に進む。
【０１０７】
給電ステータスデータ４０６がＷＰＴ＿ＲＴＤデータ４００に格納された場合、第１の通信部２０６は、給電ステータスデータ４０６が正常にＷＰＴ＿ＲＴＤデータ４００に書き込まれたことを示す応答データを給電装置１００に送信する。
【０１０８】
そこで、Ｓ７１４において、制御部１０１は、給電ステータスデータ４０６が送信されてから一定の時間が経過するまでの間に、第１の通信部１０６が電子機器２００から応答データを受信したか否かを判定する。第１の通信部１０６が電子機器２００から応答データを受信したと判定された場合（Ｓ７１４でＹｅｓ）、本フローチャートは、Ｓ７１６に進む。給電ステータスデータ４０６が送信されてから一定の時間が経過した場合であっても、第１の通信部１０６が電子機器２００から応答データを受信していないと判定された場合（Ｓ７１４でＮｏ）、本フローチャートは、Ｓ７１５に進む。なお、第１の通信部１０６が電子機器２００から受信した応答データが、給電ステータスデータ４０６が正常にＷＰＴ＿ＲＴＤデータ４００に書き込まれていないことを示している場合も、本フローチャートは、Ｓ７１５に進む。
【０１０９】
Ｓ７１５において、制御部１０１は、Ｓ６０６と同様に、通信エラーが検出されたことを示すデータを表示部１０９に表示させる。この場合、本フローチャートは、Ｓ７０４に進む。
【０１１０】
Ｓ７１６において、制御部１０１は、メモリ１０８に給電可能フラグを設定する。この場合、本フローチャートは終了し、図５のＳ５０５に進む。
【０１１１】
（給電処理）
次に、実施例１において、図５のＳ５０６において、制御部１０１によって行われる給電処理について、図８のフローチャートを用いて説明する。給電処理は、制御部１０１がメモリ１０８に格納されているコンピュータプログラムを実行することにより実現することができる。
【０１１２】
Ｓ８０１において、制御部１０１は、Ｓ７１２で設定された給電パラメータに応じて、所定の電力を出力するように給電部１０２を制御する。さらに、制御部１０１は、所定の電力が出力されてから経過した時間を計測するようにタイマー１０１ａを制御する。この場合、本フローチャートは、Ｓ８０２に進む。
【０１１３】
Ｓ８０２において、制御部１０１は、タイマー１０１ａによって計測された時間に応じて、所定の電力が出力されてから所定の時間が経過したか否かを判定する。タイマー１０１ａによって計測された時間が所定の時間以上である場合、制御部１０１は、所定の電力が出力されてから所定の時間が経過したと判定し（Ｓ８０２でＹｅｓ）、本フローチャートは、Ｓ８０４に進む。タイマー１０１ａによって計測された時間が所定の時間以上でない場合、制御部１０１は、所定の電力が出力されてから所定の時間が経過していないと判定し（Ｓ８０２でＮｏ）、本フローチャートは、Ｓ８０３に進む。
【０１１４】
Ｓ８０３において、制御部１０１は、Ｓ６０８と同様に、異物が所定の範囲３００内に存在するか否かを検出する。所定の範囲３００内に異物が存在すると判定された後（Ｓ８０３でＹｅｓ）、本フローチャートは、Ｓ８０４に進む。所定の範囲３００内に異物が存在していないと判定された後（Ｓ８０３でＮｏ）、本フローチャートは、Ｓ８０１に戻る。
【０１１５】
Ｓ８０４において、制御部１０１は、所定の電力の出力を停止するように給電部１０２を制御する。この場合、本フローチャートは、Ｓ８０５に進む。
【０１１６】
Ｓ８０５において、制御部１０１は、通信電力を出力するように給電部１０２を制御する。この場合、本フローチャートは、終了し、図５のＳ５０４に戻る。
【０１１７】
（設定処理）
次に、実施例１において、図７のＳ７１２において、制御部１０１によって行われる設定処理について、図９のフローチャートを用いて説明する。給電処理は、制御部１０１がメモリ１０８に格納されているコンピュータプログラムを実行することにより実現することができる。
【０１１８】
Ｓ９０１において、制御部１０１は、給電装置１００の給電能力と、電子機器２００の受電能力とが対応しているか否かを判定する。
【０１１９】
例えば、給電能力データ１０８ａにローパワーを示すデータが含まれ、かつ、受電能力データ４０４にローパワーを示すデータが含まれている場合、制御部１０１は、給電装置１００の給電能力と、電子機器２００の受電能力とが対応していると判定する。
【０１２０】
また、例えば、給電能力データ１０８ａにミドルパワーを示すデータが含まれ、かつ、受電能力データ４０４にミドルパワーを示すデータが含まれている場合、制御部１０１は、給電装置１００の給電能力と、電子機器２００の受電能力とが対応していると判定する。また、例えば、給電能力データ１０８ａにハイパワーを示すデータが含まれ、かつ、受電能力データ４０４にハイパワーを示すデータが含まれている場合、制御部１０１は、給電装置１００の給電能力と、電子機器２００の受電能力とが対応していると判定する。
【０１２１】
しかし、例えば、給電能力データ１０８ａにローパワーを示すデータが含まれ、かつ、受電能力データ４０４にローパワーを示すデータが含まれていない場合、制御部１０１は、給電装置１００の給電能力と電子機器２００の受電能力とが対応していないと判定する。また、例えば、給電能力データ１０８ａにミドルパワーを示すデータが含まれ、かつ、受電能力データ４０４にミドルパワーを示すデータが含まれていない場合、制御部１０１は、給電装置１００の給電能力と電子機器２００の受電能力とが対応していないと判定する。また、例えば、給電能力データ１０８ａにハイパワーを示すデータが含まれ、かつ、受電能力データ４０４にハイパワーを示すデータが含まれていない場合、制御部１０１は、給電装置１００の給電能力と、電子機器２００の受電能力とが対応していないと判定する。
【０１２２】
給電装置１００の給電能力と電子機器２００の受電能力とが対応していると判定された場合（Ｓ９０１でＹｅｓ）、本フローチャートは、Ｓ９０２に進む。
【０１２３】
給電装置１００の給電能力と電子機器２００の受電能力とが対応していないと判定された場合（Ｓ９０１でＮｏ）、本フローチャートは、Ｓ９０４に進む。
【０１２４】
Ｓ９０２において、制御部１０１は、給電装置１００の給電能力に基づいて、所定の電力を設定する。
【０１２５】
例えば、給電能力データ１０８ａにローパワーを示すデータが含まれている場合、制御部１０１は、１Ｗ以下の電力になるように所定の電力の値を設定する。さらに、制御部１０１は、給電効率や電池２１１の残容量に応じて、１Ｗを超えないように所定の電力の値を設定してもよい。
【０１２６】
また、例えば、給電能力データ１０８ａにミドルパワーを示すデータが含まれている場合、制御部１０１は、５Ｗ以下の電力になるように所定の電力の値を設定する。さらに、制御部１０１は、給電効率や電池２１１の残容量に応じて、５Ｗを超えないように所定の電力の値を設定してもよい。
【０１２７】
また、例えば、給電能力データ１０８ａにハイパワーを示すデータが含まれている場合、制御部１０１は、１０Ｗ以下の電力になるように所定の電力の値を設定する。さらに、制御部１０１は、給電効率や電池２１１の残容量に応じて、１０Ｗを超えないように所定の電力の値を設定してもよい。
【０１２８】
所定の電力が設定された後、本フローチャートはＳ９０３に進む。
【０１２９】
Ｓ９０３において、制御部１０１は、Ｓ９０２、Ｓ９０５及びＳ９０６のいずれか一つの処理によって設定された所定の電力に応じて、所定の時間を設定する。
【０１３０】
例えば、所定の電力が１Ｗ以下の電力に設定された場合、制御部１０１は、所定の時間を２０［ｓｅｃ］に設定する。また、例えば、所定の電力が、１Ｗよりも大きく、かつ、５Ｗ以下の電力に設定された場合、制御部１０１は、所定の時間を１０［ｓｅｃ］に設定する。また、例えば、所定の電力が、５Ｗよりも大きく、かつ、１０Ｗ以下の電力に設定された場合、制御部１０１は、所定の時間を５［ｓｅｃ］に設定する。
【０１３１】
なお、Ｓ９０３において、制御部１０１は、所定の電力の値が大きいほど、所定の時間が短くなるように所定の時間を設定する。
【０１３２】
Ｓ９０２、Ｓ９０５及びＳ９０６のいずれか一つの処理に応じて、設定された所定の電力の値及びＳ９０３の処理に応じて設定された所定の時間は、給電パラメータとしてメモリ１０８に記録される。
【０１３３】
給電パラメータがメモリ１０８に記録された後、本フローチャートは、Ｓ７１３に進む。
【０１３４】
Ｓ９０４において、制御部１０１は、給電装置１００の給電能力と、電子機器２００の受電能力とを比較する。例えば、給電能力データ１０８ａにミドルパワーを示すデータが含まれ、かつ、受電能力データ４０４にローパワーを示すデータが含まれている場合、制御部１０１は、給電装置１００の給電能力が電子機器２００の受電能力よりも高いと判定する。また、例えば、給電能力データ１０８ａにハイパワーを示すデータが含まれ、かつ、受電能力データ４０４にミドルパワーを示すデータが含まれている場合、制御部１０１は、給電装置１００の給電能力が電子機器２００の受電能力よりも高いと判定する。また、例えば、給電能力データ１０８ａにハイパワーを示すデータが含まれ、かつ、受電能力データ４０４にローパワーを示すデータが含まれている場合、制御部１０１は、給電装置１００の給電能力が電子機器２００の受電能力よりも高いと判定する。
【０１３５】
給電装置１００の給電能力が電子機器２００の受電能力よりも高いと判定された場合（Ｓ９０４でＹｅｓ）、本フローチャートは、Ｓ９０５に進む。給電装置１００の給電能力が電子機器２００の受電能力よりも高くないと判定された場合（Ｓ９０４でＮｏ）、本フローチャートは、Ｓ９０６に進む。
【０１３６】
Ｓ９０５において、電子機器２００の受電能力に基づいて、所定の電力を設定する。
【０１３７】
例えば、受電能力データ４０４にローパワーを示すデータが含まれている場合、制御部１０１は、１Ｗ以下の電力になるように所定の電力の値を設定する。さらに、制御部１０１は、給電効率や電池２１１の残容量に応じて、１Ｗを超えないように所定の電力の値を設定してもよい。
【０１３８】
例えば、受電能力データ４０４にミドルパワーを示すデータが含まれている場合、制御部１０１は、５Ｗ以下の電力になるように所定の電力の値を設定する。さらに、制御部１０１は、給電効率や電池２１１の残容量に応じて、５Ｗを超えないように所定の電力の値を設定してもよい。
【０１３９】
また、例えば、受電能力データ４０４にハイパワーを示すデータが含まれている場合、制御部１０１は、１０Ｗ以下の電力になるように所定の電力の値を設定する。さらに、制御部１０１は、給電効率や電池２１１の残容量に応じて、１０Ｗを超えないように所定の電力の値を設定してもよい。
【０１４０】
所定の電力が設定された後、本フローチャートはＳ９０３に進む。
【０１４１】
Ｓ９０６において、Ｓ９０２と同様に、給電装置１００の給電能力に基づいて、所定の電力を設定する。所定の電力が設定された後、本フローチャートはＳ９０３に進む。
【０１４２】
このように、実施例１に係る給電装置１００は、電子機器２００との通信に応じて、給電装置１００と電子機器２００との無線給電のための認証を行い、認証結果に応じて、電子機器２００に無線給電を行うか否かを制御するようにした。そのため、給電装置１００は、無線給電の認証が成功した電子機器２００に対して無線給電を行うようにし、無線給電の認証が成功していない電子機器２００を保護することができる。
【０１４３】
また、給電装置１００は、電子機器２００との通信に応じて、電子機器２００の状態を検出し、検出された電子機器２００の状態に応じて、電子機器２００に無線給電を行うか否かを制御するようにした。そのため、給電装置１００は、受電の状態を検出することができる電子機器２００に対して無線給電を行うようにし、受電の状態を検出することができない電子機器２００を保護することができる。さらに、給電装置１００は、エラーが発生していない電子機器２００に対して無線給電を行うようにし、エラーが発生した電子機器２００を保護することができる。さらに、給電装置１００は、充電が完了していない電子機器２００に対して無線給電を行うようにし、充電が完了した電子機器２００を保護することができる。
【０１４４】
また、給電装置１００は、所定の電力を電子機器２００に供給している場合、給電装置１００は、検出部１０４、電流検出部１１１及び温度検出部１１２の少なくとも一つにより電子機器２００に充電や給電に関するエラーが発生したか否かを検出するようにした。検出部１０４、電流検出部１１１及び温度検出部１１２の少なくとも一つによって、電子機器２００に充電や給電に関するエラーが発生したことが検出された場合、所定の電力の出力を停止し、電子機器２００と通信するようにした。これにより、電子機器２００への給電を適切に制御するようにすることができる。
【０１４５】
さらに、給電装置１００は、給電装置１００が対応している給電の電力レベルと、電子機器２００が対応している受電の電力レベルとに応じて、所定の電力を設定するようにした。これにより、給電装置１００は、電子機器２００に過剰な電力を供給しないようにすることができる。さらに、給電装置１００は、所定の電力の大きさに応じて、所定の時間の長さを設定するようにした。これにより、給電装置１００は、所定の電力が大きいほど、短い頻度で電子機器２００と通信を行うので、電子機器２００の状態に適した給電を行うことができる。
【０１４６】
したがって、実施例１に係る給電装置１００は、給電装置１００と電子機器２００との通信に応じて、電子機器２００への無線給電が適切に行われるようにすることができる。
【０１４７】
［実施例２］
実施例２において、実施例１と異なる構成や処理について説明を行う。なお、実施例１と共通する構成や処理については説明を省略する。
【０１４８】
実施例１において、給電能力データ１０８ａには、ローパワーをデータ、ミドルパワーを示すデータ及びハイパワーを示すデータのいずれか一つが含まれるものとして説明を行った。さらに、実例例１において、受電能力データ４０４には、ローパワーをデータ、ミドルパワーを示すデータ及びハイパワーを示すデータのいずれか一つが含まれるものとして説明を行った。しかし、実施例２において、メモリ１０８には、給電能力データ１０８ａの代わりに給電能力データ１０８ｂが格納され、ＷＰＴ＿ＲＴＤデータ４００には、受電能力データ４０４の代わりに受電能力データ４０７が格納されるものとする。
【０１４９】
実施例２における給電能力データ１０８ｂには、給電装置１００が対応している給電の電力レベルを示すデータが格納されている。例えば、給電能力データ１０８ｂには、給電装置１００が供給することができる電力の最小値（Ｍｉｎ  Ｐｏｗｅｒ）を示す第１のデータと、給電装置１００が供給することができる電力の最大値（Ｍａｘ  Ｐｏｗｅｒ）を示す第２のデータとが含まれる。第１のデータは、例えば、給電装置１００が給電アンテナ１０７を介して出力することができる電力の最小値を示す。第２のデータは、例えば、例えば、給電装置１００が給電アンテナ１０７を介して出力することができる電力の最大値を示す。
【０１５０】
次に、図１０を用いて、実施例２における受電能力データ４０７について説明を行う。受電能力データ４０７には、電子機器２００が対応している受電の電力レベルを示すデータが格納されている。例えば、受電能力データ４０７には、電子機器２００が受け取ることができる電力の最小値（Ｍｉｎ  Ｐｏｗｅｒ）を示す第３のデータと、電子機器２００が受け取ることができる電力の最大値（Ｍａｘ  Ｐｏｗｅｒ）を示す第４のデータとが含まれる。第３のデータは、例えば、電子機器２００が受電アンテナ２０３を介して受け取ることができる電力の最小値を示す。第４のデータは、例えば、例えば、電子機器２００が受電アンテナ２０３を介して受け取ることができる電力の最大値を示す。
【０１５１】
実施例１において、給電装置１００が図６の認証処理を行う場合、電子機器２００から受電能力データ４０４の代わりに受電能力データ４０７を取得するものとするものとする。
【０１５２】
次に、実施例２において、給電装置１００によって行われる図７のＳ７１２の設定処理について図１１を用いて説明を行う。
【０１５３】
（設定処理）
図１１に示す設定処理は、制御部１０１がメモリ１０８に格納されているコンピュータプログラムを実行することにより実現することができる。
【０１５４】
Ｓ１１０１において、制御部１０１は、給電能力データ１０８ｂに含まれる第２のデータと、受電能力データ４０７に含まれる第４のデータとを比較する。
【０１５５】
制御部１０１は、比較の結果を用いて、給電装置１００が供給することができる電力の最大値が電子機器２００が受け取ることができる電力の最大値よりも大きいか否かを判定する。
【０１５６】
給電装置１００が供給することができる電力の最大値が電子機器２００が受け取ることができる電力の最大値よりも大きいと判定された場合（Ｓ１１０１でＹｅｓ）、本フローチャートは、Ｓ１１０２に進む。給電装置１００が出力することができる電力の最大値が電子機器２００が受け取ることができる電力の最大値よりも大きくないと判定された場合（Ｓ１１０１でＮｏ）、本フローチャートは、Ｓ１１０４に進む。
【０１５７】
Ｓ１１０２において、制御部１０１は、電子機器２００の受電能力に基づいて、所定の電力を設定する。制御部１０１は、第３のデータ及び第４のデータに基づいて、所定の電力の値を設定する。例えば、制御部１０１は、電子機器２００が受け取ることができる電力の最大値を超えないように所定の電力の値を設定する。さらに、制御部１０１は、電子機器２００が受け取ることができる電力の最小値以上になるように所定の電力の値を設定する。さらに、制御部１０１は、給電効率や電池２１１の残容量に応じて、所定の電力の値を設定してもよい。
【０１５８】
所定の電力が設定された後、本フローチャートはＳ１１０３に進む。
【０１５９】
Ｓ１１０３において、制御部１０１は、Ｓ９０３と同様に、Ｓ１１０２及びＳ１１０４のいずれか一つによって設定された所定の電力に応じて、所定の時間を設定する。
【０１６０】
Ｓ１１０２及びＳ１１０４のいずれか一つの処理に応じて、設定された所定の電力の値及びＳ１１０３の処理に応じて設定された所定の時間は、給電パラメータとしてメモリ１０８に記録される。
【０１６１】
給電パラメータがメモリ１０８に記録された後、本フローチャートは、Ｓ７１３に進む。
【０１６２】
Ｓ１１０４において、制御部１０１は、給電装置１００の給電能力に基づいて、所定の電力を設定する。制御部１０１は、第１のデータ及び第２のデータに基づいて、所定の電力の値を設定する。例えば、制御部１０１は、給電装置１００が出力することができる電力の最大値を超えないように所定の電力の値を設定する。さらに、制御部１０１は、給電装置１００が出力することができる電力の最小値以上になるように所定の電力の値を設定する。さらに、制御部１０１は、給電効率や電池２１１の残容量に応じて、所定の電力の値を設定してもよい。所定の電力が設定された後、本フローチャートはＳ１１０３に進む。
【０１６３】
実施例２において、給電装置１００は、給電装置１００が出力することができる電力の最大値と、電子機器２００が受け取ることができる電力の最大値とに応じて、所定の電力を設定するようにした。これにより、給電装置１００は、電子機器２００に過剰な電力を供給しないようにすることができる。さらに、給電装置１００は、所定の電力の大きさに応じて、所定の時間の長さを設定するようにした。これにより、給電装置１００は、所定の電力が大きいほど、短い頻度で電子機器２００と通信を行うので、電子機器２００の状態に適した給電を行うことができる。
【０１６４】
なお、実施例２に係る給電装置１００及び電子機器２００において、実施例１と共通する構成や処理については、実施例１において説明された効果と同様な効果を有するものとする。
【０１６５】
実施例１及び２において、給電装置１００は、給電アンテナ１０７を用いて電子機器２００に所定の電力を供給し、給電アンテナ１０７を用いて第１の通信部１０６と電子機器２００との通信を行うようにしたが、これに限られないものとする。例えば、給電装置１００は、電子機器２００に所定の電力を供給するためのアンテナと、第１の通信部１０６と電子機器２００との通信を行うためのアンテナとを別々に有する構成であってもよい。
【０１６６】
また、電子機器２００は、受電アンテナ２０３を用いて給電装置１００から電力を受け取り、受電アンテナ２０３を用いて給電装置１００と第１の通信部２０６との通信を行うようにしたが、これに限られないものとする。例えば、電子機器２００は、給電装置１００から電力を受け取るためのアンテナと、給電装置１００と第１の通信部２０６との通信を行うアンテナとを別々に有する構成であってもよい。
【０１６７】
なお、第１の通信部１０６がＮＦＣ規格におけるリーダライタとして動作するものとして説明を行ったが、これに限られないものとする。例えば、第１の通信部１０６がＮＦＣ規格におけるＰ２Ｐ（Ｐｅｅｒ  Ｔｏ  Ｐｅｅｒ）として動作するものであってもよい。
【０１６８】
なお、所定の給電方法は、磁界共鳴方式を用いた給電方法以外の給電方法であってもよい。例えば、所定の給電方法は、ＷＰＣ（Ｗｉｒｅｌｅｓｓ  Ｐｏｗｅｒ  Ｃｏｎｓｏｒｔｉｕｍ）に規定されている「Ｑｉ」規格に対応する給電方法であってもよい。また、所定の給電方法は、ＷＰＴ（Ｗｉｒｅｌｅｓｓ  Ｐｏｗｅｒ  Ｔｒａｎｓｍｉｓｓｏｎ）に規定されている規格に対応する給電方法であってもよい。また、所定の給電方法は、ＣＥＡ（Ｃｏｎｓｕｍｅｒ  Ｅｌｅｃｔｒｏｎｉｃｓ  Ａｓｓｏｃｉａｔｉｏｎ）に規定されている規格に対応する給電方法であってもよい。また、所定の給電方法は、Ａ４ＷＰに規定されている規格に対応する給電方法であってもよい。
【０１６９】
給電装置１００が給電アンテナ１０７を介して通信電力及び所定の電力のいずれか一つを出力する場合、制御部１０１は、給電アンテナ１０７の共振周波数を所定の周波数ｆに設定するように整合回路１０５を制御するものとした。しかし、これに限られないものとする。
【０１７０】
例えば、給電装置１００が給電アンテナ１０７を介して通信電力を出力する場合に、制御部１０１は、給電アンテナ１０７の共振周波数を１３．５６［ＭＨｚ］に設定するように整合回路１０５を制御してもよい。しかし、給電装置１００が給電アンテナ１０７を介して所定の電力を出力する場合に、制御部１０１は、給電アンテナ１０７の共振周波数を６．７８［ＭＨｚ］に設定するように整合回路１０５を制御してもよい。
【０１７１】
（他の実施例）
本発明に係る給電装置は、実施例１で説明した給電装置１００に限定されるものではない。例えば、本発明に係る給電装置は、複数の装置から構成されるシステムにより実現することも可能である。また、本発明に係る電子機器は、実施例１で説明した電子機器２００に限定されるものではない。例えば、本発明に係る電子機器は、複数の装置から構成されるシステムにより実現することも可能である。
【０１７２】
また、実施例１で説明した様々な処理及び機能は、コンピュータプログラムより実現することも可能である。この場合、本発明に係る処理はコンピュータプログラムで実行可能であり、実施例１で説明した様々な機能を実現することになる。
【０１７３】
本発明に係るコンピュータプログラムは、コンピュータ上で稼動しているＯＳ（Ｏｐｅｒａｔｉｎｇ  Ｓｙｓｔｅｍ）などを利用して、実施例１で説明した様々な処理及び機能を実現してもよいことは言うまでもない。
【０１７４】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【０１７５】
１００  給電装置
２００  電子機器
【図１】
2014220944.tif 000003
【図２】
2014220944.tif 000004
【図３】
2014220944.tif 000005
【図４】
2014220944.tif 000006
【図５】
2014220944.tif 000007
【図６】
2014220944.tif 000008
【図７】
2014220944.tif 000009
【図８】
2014220944.tif 000010
【図９】
2014220944.tif 000011
【図１０】
2014220944.tif 000012
【図１１】
2014220944.tif 000013